(57)【特許請求の範囲】
【請求項１】
ヘルメットに装着するヘルメット装着用インカムであって，
前記ヘルメット装着用インカムは，
本体部，マイク部およびベース部を有しており，
前記本体部は，前記マイク部を，前記本体部の短手方向または長手方向に固定し，
前記ベース部は，前記マイク部を，前記本体部の短手方向または長手方向のうち，前記本体部が前記マイク部を固定する方向とは異なる方向に固定する，
ことを特徴とするヘルメット装着用インカム。
【請求項２】
前記マイク部は，
前記本体部と接続する側の端部に設けたマイク側端子部に形成されたマイク側離脱防止部を有し，
前記ベース部は，
前記マイク側離脱防止部に対応する位置に形成されたベース側離脱防止部を有しており，
前記本体部に差し込まれた前記マイク部の前記マイク側離脱防止部が前記ベース部の前記ベース側離脱防止部に固定される，
ことを特徴とする請求項１に記載のヘルメット装着用インカム。
【請求項３】
前記マイク側離脱防止部は凸部または溝であり，
前記ベース側離脱防止部は溝または凸部であり，
前記マイク側離脱防止部の凸部または溝が，前記ベース側離脱防止部の溝または凸部に嵌合することで，前記マイク部のマイク側離脱防止部が前記ベース部の前記ベース側離脱防止部に固定される，
ことを特徴とする請求項２に記載のヘルメット装着用インカム。
【請求項４】
前記本体部は，
前記本体部の背面に形成された本体側凹部を有し，
前記ベース部は，
前記本体側凹部に対応する位置に形成された突出部を有しており，
前記本体部を前記ベース部に沿ってスライド移動させることで，前記突出部が前記本体側凹部に嵌合することで，前記本体部を前記ベース部に固定する，
ことを特徴とする請求項１から請求項３のいずれかに記載のヘルメット装着用インカム。
【請求項５】
前記本体部は，
前記本体部の背面に形成されたベース固定部を有し，
前記ベース部は，
前記ベース固定部に対応する位置に形成された孔部および平板部を有しており，
前記本体部を前記ベース部に沿ってスライド移動させることで，前記ベース固定部が前記孔部を介して前記平板部を固定する，
ことを特徴とする請求項１から請求項４のいずれかに記載のヘルメット装着用インカム。
【請求項６】
前記本体部は，
前記マイク部と接続する側の端部に本体側端子部を有しており，
前記マイク部は，
前記本体側端子部に対応する位置にマイク側端子部を有しており，
前記本体側端子部における本体側マイク固定部とその背面に形成された差込部とが，前記マイク側端子部に形成されたマイク側凹部と前記マイク側凹部に形成したガイド部に差し込まれることで，前記本体部が前記マイク部を前記本体部の短手方向または長手方向に固定する，
ことを特徴とする請求項１から請求項４のいずれかに記載のヘルメット装着用インカム。
【請求項７】
ヘルメットに装着するヘルメット装着用インカムであって，
前記ヘルメット装着用インカムは，
本体部，マイク部およびベース部を有しており，
前記本体部は，
前記マイク部と接続する側の端部に，前記本体部の長手方向に突出するように形成された本体側マイク固定部と，
前記本体側マイク固定部に形成された差込部と，を有しており，
前記マイク部は，
前記本体部と接続する側の端部に設けたマイク側端子部に，前記本体側マイク固定部が差し込み可能な大きさで形成されたマイク側凹部と，
前記マイク側凹部において前記差込部に対応する位置に，前記本体部の長手方向に形成された切欠部であるガイド部と，
前記マイク側端子部の背面に，前記本体部の短手方向に形成されたマイク側離脱防止部と，を有しており，
前記ベース部は，
前記マイク側離脱防止部に対応する位置に形成されたベース側離脱防止部と，を有しており，
前記本体側マイク固定部と前記差込部とが，前記マイク側凹部および前記ガイド部に差し込まれることで，前記本体部が前記マイク部を前記本体部の短手方向に固定し，
前記固定された前記本体部と前記マイク部とを，前記ベース部の短手方向にスライド移動させることで，前記マイク側離脱防止部が，前記ベース側離脱防止部に嵌合することで，前記ベース部が前記マイク部を前記本体部の長手方向に固定する，
ことを特徴とするヘルメット装着用インカム。
【発明の詳細な説明】
【技術分野】
【０００１】
本発明は，ヘルメットに装着可能なヘルメット装着用インカムに関する。
【背景技術】
【０００２】
自動二輪車や自転車（以下，「二輪車」という）などの運転者がヘルメットを装着して運転をするときにインカムを用いてほかの運転者や搭乗者などと会話をする場合がある。またほかの運転者や搭乗者などとの会話のほか，携帯電話のハンズフリー通話，ミュージックプレーヤーの音楽やポータブルナビなどの音声のリスニングなどをする場合にもインカムが用いられる。
【０００３】
インカムを用いることでヘルメットを装着したまま音の聴取，発話などが可能となり，ほかの運転者や搭乗者などと会話も可能となるので，利便性が向上する。
【０００４】
ヘルメットに装着するインカムの従来の一例として，たとえば以下の非特許文献１，非特許文献２に示すようなものがある。従来のヘルメット装着用インカムは，大別すると３種類のパーツに分類できる。すなわち，ベースとインカム本体とマイクである。ベースはヘルメットに固定され，インカム本体を取り付けることでインカム本体をヘルメットに装着するパーツである。またマイクはヘルメット装着者（使用者）の発話を集音するパーツであり，ベース若しくはインカム本体に取り付けられる。インカム本体はマイクで集音した使用者の発話を無線通信によってほかのインカムに対して送信するとともに，無線通信によってほかのインカムからの音声を受信して，インカム本体とコード等で接続したスピーカを介して使用者に聞かせるパーツである。
【先行技術文献】
【非特許文献】
【０００５】
【非特許文献１】株式会社インターソリューションマーケティング，”SENA Bluetooth Japan 公式サイト｜20SEVO｜製品概要”，[online]，インターネット＜ＵＲＬ：https://senabluetooth.jp/20sevo/＞
【非特許文献２】岡田商事株式会社，”PACKTALK BOLD JBL｜cardo system”，[online]，インターネット＜ＵＲＬ：https://cardosystems.jp/product/packtalk_bold/＞
【発明の概要】
【発明が解決しようとする課題】
【０００６】
マイクとの関係でヘルメットの種類を大別すると，ヘルメットを装着している人の口が覆われているタイプと，口が開放されているタイプに大別できる。使用者の発話を正確に集音するため，前者のタイプのヘルメットの場合にはワイヤー型のマイクが用いられ，後者のタイプのヘルメットの場合にはアーム型のマイクが用いられることが多い。ワイヤー型のマイクとは，ワイヤー（コード）の一端をベース若しくはインカムの本体に差し込み，ワイヤーをヘルメットの内側に這わせ，ワイヤーの他端に取り付けたマイクをヘルメットの内側の口付近に取り付けることで，使用者の発話の集音が可能となるタイプである。また，アーム型のマイクとは，アームの一端をベース若しくはインカムの本体に差し込み，アームの他端にはマイクが装着され，そのマイクを口の前に位置させることで，使用者の発話の集音が可能となるタイプである。
【０００７】
このように，従来の非特許文献１，非特許文献２に示すような従来のヘルメット装着用インカムの場合，ヘルメットの種類に応じてベース若しくはインカム本体に差し込むマイクを使い分けることで，インカム本体は１台で異なるタイプのヘルメットに対応することができるようになる。
【０００８】
マイクをベースに取り付けるヘルメット装着用インカムの場合，ベースにマイクとの差し込み端子などを設ける必要があることから，ベースの大きさが大きくならざるを得ない。そのため，ヘルメット装着用インカムのデザイン性が劣ることとなる。またベースに電子部品を備える必要性から，ベースの価格（パーツ部品代）が単なるプラスチック成形品などよりは高額とならざるを得ない。
【０００９】
そしてベースは，ヘルメットに固定しておき，インカム本体を着脱することからバネが折れるなどの破損が起きやすいパーツである。
【００１０】
また，二輪車，とくに自動二輪車の運転者は複数のヘルメットを保有することもある。その場合，インカム本体の購入は一台だけであるが，ベースはそれぞれのヘルメットの個数分購入する。そして，あらかじめそれぞれのヘルメットにベースを取り付けておき，二輪車の運転時に使用するヘルメットのベースにインカム本体を装着することで，ヘルメット装着用インカムを使用することとなる。
【００１１】
このようにベースが壊れやすい部品であること，ベースは複数購入する場合もあることなどからすれば，ベースには電子部品などを備えずに安価なものとすることが好ましい。そのため，ベースにマイクを差し込むことは経済的に好ましくなく，インカム本体に取り付けることが好ましい。
【００１２】
そこでインカム本体にマイクを差し込む方式の場合，従来のヘルメット装着用インカムでは，単に，インカム本体にマイクを差し込むだけの構造であるため，二輪車を運転している際に，マイクがインカム本体から外れてしまうことがある。マイクがインカム本体から外れると，一旦停車をし，グローブを手から外した上で，マイクをインカム本体に取り付ける作業を行うこととなる。このような作業はきわめて煩雑であり，快適なツーリングを妨げるものとなる。
【００１３】
また，アーム型のマイクを取り付けている場合には，マイクがインカム本体から外れることで，マイクが路上に落下する場合もある。これを阻止するため，マイクを押さえようとしてハンドルから手を離すと事故を誘引しかねない。
【００１４】
以上のように，インカム本体にマイクを差し込む方式の場合，インカム本体からマイクが外れることを抑止することが求められているが，従来のヘルメット装着用インカムではそのような構造を備えているものはない。
【課題を解決するための手段】
【００１５】
そこで本発明者らは，上記課題に鑑み，ヘルメットに装着可能なヘルメット装着用インカムを発明した。
【００１６】
第１の発明は，ヘルメットに装着するヘルメット装着用インカムであって，前記ヘルメット装着用インカムは，本体部，マイク部およびベース部を有しており，前記本体部は，前記マイク部を，前記本体部の短手方向または長手方向に固定し，前記ベース部は，前記マイク部を，前記本体部の短手方向または長手方向のうち，前記本体部が前記マイク部を固定する方向とは異なる方向に固定する，ヘルメット装着用インカムである。
【００１７】
本発明のように，マイク部は本体部およびベース部によってそれぞれ異なる方向に対して固定されることとなる。そのため，従来のようにマイク部を本体部に差し込むだけとは異なり，マイク部を複数の方向から固定できるので，走行中にマイク部が本体部から外れてしまう事態を抑止することができる。
【００１８】
上述の発明において，前記マイク部は，前記本体部と接続する側の端部に設けたマイク側端子部に形成されたマイク側離脱防止部を有し，前記ベース部は，前記マイク側離脱防止部に対応する位置に形成されたベース側離脱防止部を有しており，前記本体部に差し込まれた前記マイク部の前記マイク側離脱防止部が前記ベース部の前記ベース側離脱防止部に固定される，ヘルメット装着用インカムのように構成することができる。
【００１９】
マイク部とベース部との固定にはさまざまな方法があるが，本発明のように構成することがよい。
【００２０】
上述の発明において，前記マイク側離脱防止部は凸部または溝であり，前記ベース側離脱防止部は溝または凸部であり，前記マイク側離脱防止部の凸部または溝が，前記ベース側離脱防止部の溝または凸部に嵌合することで，前記マイク部のマイク側離脱防止部が前記ベース部の前記ベース側離脱防止部に固定される，ヘルメット装着用インカムのように構成することができる。
【００２１】
マイク側離脱防止部を凸部または溝，ベース側離脱防止部を溝または凸部とすることで，マイク部をベース部にスライドさせることで容易に固定することができる。
【００２２】
上述の発明において，前記本体部は，前記本体部の背面に形成された本体側凹部を有し，前記ベース部は，前記本体側凹部に対応する位置に形成された突出部を有しており，前記本体部を前記ベース部に沿ってスライド移動させることで，前記突出部が前記本体側凹部に嵌合することで，前記本体部を前記ベース部に固定する，ヘルメット装着用インカムのように構成することができる。
【００２３】
本発明のように，ベース部に形成した突出部のようなツメで，本体側背面の本体側凹部に嵌合することで，本体部をベース部にスライドさせることで容易に固定することができる。
【００２４】
上述の発明において，前記本体部は，前記本体部の背面に形成されたベース固定部を有し，前記ベース部は，前記ベース固定部に対応する位置に形成された孔部および平板部を有しており，前記本体部を前記ベース部に沿ってスライド移動させることで，前記ベース固定部が前記孔部を介して前記平板部を固定する，ヘルメット装着用インカムのように構成することができる。
【００２５】
本体部のベース固定部を，ベース部の孔部に位置させ，そのまま平板部までスライドさせることで，本体部をベース部に容易に固定することができる。
【００２６】
上述の発明において，前記本体部は，前記マイク部と接続する側の端部に本体側端子部を有しており，前記マイク部は，前記本体側端子部に対応する位置にマイク側端子部を有しており，前記本体側端子部における本体側マイク固定部とその背面に形成された差込部とが，前記マイク側端子部に形成されたマイク側凹部と前記マイク側凹部に形成したガイド部に差し込まれることで，前記本体部が前記マイク部を前記本体部の短手方向または長手方向に固定する，ヘルメット装着用インカムのように構成することができる。
【００２７】
マイク部を本体部に固定する際には，本発明のように差し込む構成とすることで，容易に固定することができる。
【００２８】
第１の発明は，本発明のように構成することでも実現することができる。すなわち，ヘルメットに装着するヘルメット装着用インカムであって，前記ヘルメット装着用インカムは，本体部，マイク部およびベース部を有しており，前記本体部は，前記マイク部と接続する側の端部に，前記本体部の長手方向に突出するように形成された本体側マイク固定部と，前記本体側マイク固定部に形成された差込部と，を有しており，前記マイク部は，前記本体部と接続する側の端部に設けたマイク側端子部に，前記本体側マイク固定部が差し込み可能な大きさで形成されたマイク側凹部と，前記マイク側凹部において前記差込部に対応する位置に，前記本体部の長手方向に形成された切欠部であるガイド部と，前記マイク側端子部の背面に，前記本体部の短手方向に形成されたマイク側離脱防止部と，を有しており，前記ベース部は，前記マイク側離脱防止部に対応する位置に形成されたベース側離脱防止部と，を有しており，前記本体側マイク固定部と前記差込部とが，前記マイク側凹部および前記ガイド部に差し込まれることで，前記本体部が前記マイク部を前記本体部の短手方向に固定し，前記固定された前記本体部と前記マイク部とを，前記ベース部の短手方向にスライド移動させることで，前記マイク側離脱防止部が，前記ベース側離脱防止部に嵌合することで，前記ベース部が前記マイク部を前記本体部の長手方向に固定する，ヘルメット装着用インカムのように構成することができる。
【００２９】
本発明においても，第１の発明と同様に，マイク部は本体部およびベース部によってそれぞれ異なる方向に対して固定されることとなる。そのため，従来のようにマイク部を本体部に差し込むだけとは異なり，マイク部を複数の方向から固定できるので，走行中にマイク部が本体部から外れてしまう事態を抑止することができる。
【発明の効果】
【００３０】
本発明のヘルメット装着用インカムを用いることで，インカム本体からマイクが外れることを抑止することができる。
【図面の簡単な説明】
【００３１】
【図１】本発明のヘルメット装着用インカムの各パーツを示す図である。
【図２】本体部の斜視図を示す図である。
【図３】本体部の正面図である。
【図４】本体部の背面図である。
【図５】本体部がマイク部と接続をする側の側面図である。
【図６】本体部の平面図である。
【図７】本体部の底面図である。
【図８】マイク部の斜視図である。
【図９】マイク部の正面図である。
【図１０】マイク部の背面図である。
【図１１】マイク部が本体部と接続をする側の側面図である。
【図１２】マイク部の平面図である。
【図１３】マイク部の底面図である。
【図１４】マイク側端子部の斜視図である。
【図１５】ベース部の斜視図である。
【図１６】ベース部の正面図である。
【図１７】ベース部の背面図である。
【図１８】ベース部の左側面図である。
【図１９】ベース部をヘルメットに取り付ける状態を模式的に示す図である。
【図２０】マイク部を本体部に取り付ける状態を模式的に示す図である。
【図２１】マイク部を本体部に取り付けた状態を模式的に示す図である。
【図２２】本体部およびマイク部をベース部に取り付ける状態を模式的に示す図である。
【図２３】ヘルメット装着用インカムの斜視図である。
【図２４】ヘルメット装着用インカムの正面図である。
【図２５】ヘルメット装着用インカムの背面図である。
【図２６】本体部およびマイク部をベース部から取り外す状態を模式的に示す図である。
【図２７】ワイヤー型マイクを用いた場合のヘルメット装着用インカムの正面図である。
【図２８】ワイヤー型マイクを用いた場合のヘルメット装着用インカムの背面図である。
【発明を実施するための形態】
【００３２】
本発明のヘルメット装着用インカム１は，本体部２とマイク部３とベース部４とを有する。図１にヘルメット装着用インカム１の各パーツを示す。本体部２，マイク部３，ベース部４は任意の素材で形成されていればよいが，プラスチック製であれば安価かつ軽量に製造することができるので好ましい。なお，図示しないが，本体部２，マイク部３，ベース部４のほかに，本体部２と有線または無線により接続可能なスピーカを備えている。
【００３３】
本体部２はインカム本体であり，マイク部３と接続する。本体部２の筐体の形状には限定はなく，本発明における機能を実現するためのものであればいかなる形状であってもよい。また本体部２の内側にはインカムの機能を実現するための所定の電子機器を備えている。マイク部３は，本体部２と一端において接続し，他端には集音する集音部３１（マイク）を備える。マイク部３は，アーム型のマイク（以下，「アーム型マイク」という）またはワイヤー型のマイク（以下，「ワイヤー型マイク」という）であり，使用者の発話を集音する。本明細書ではアーム型マイクの場合で説明するが，ワイヤー型マイクであっても同様に実現できる。ベース部４は，ヘルメットに本体部２を固定するための部位である。
【００３４】
本体部２の斜視図を図２に示す。図２（ａ）は本体部２の正面側からの斜視図であり，図２（ｂ）は本体部２の背面側からの斜視図である。また図３に本体部２の正面図を，図４に本体部２の背面図を，図５に本体部２がマイク部３と接続をする側の側面図を，図６に本体部２の平面図を，図７に本体部２の底面図をそれぞれ示す。
【００３５】
本体部２はその正面に一つまたは複数の操作ボタンＢを備えている。操作ボタンＢは押下されることでそれぞれに対応する操作が本体部２において実行される。本明細書では，本体部２に操作ボタンＢ１乃至Ｂ３の３つの操作ボタンを備える場合を示している。操作ボタンＢ１は電源のオン／オフ，携帯電話やハンズフリー機器とのペアリング，携帯電話の発着信，通話の終了などの操作の制御などを行う。操作ボタンＢ２は，ほかのヘルメット装着用インカム１（操作ボタンＢ３の通信相手とは異なる）との間で無線通信を行うためのペアリングと呼出，通話中のオン／オフ，マイクのオン／オフなどの操作の制御を行う。操作ボタンＢ３は，ほかのヘルメット装着用インカム１（操作ボタンＢ２の通信相手とは異なる）との間で無線通信を行うためのペアリングと呼出，通話中のオン／オフ，電池残量の確認などの操作の制御を行う。たとえば３人（使用者ａ乃至使用者ｃ）がそれぞれヘルメット装着用インカム１を使用しており，無線通信が接続している場合，使用者ａが操作ボタンＢ２を押下すると，使用者ｂとの間での通話のオン／オフが制御でき，使用者ａが操作ボタンＢ３を押下すると，使用者ｃとの間での通話のオン／オフが制御できる。
【００３６】
また操作ボタンＢ１は水平方向に回転可能となっており，ダイヤルＤを上または下に回転されることで音量の調整，音楽再生時の曲のスキップ，頭出しなどの操作の制御を行う。
【００３７】
操作ボタンＢやダイヤルＤが操作されることで，その操作を検出した本体部２の内側にある電子回路がそれぞれ所定の機能を実行することで，インカムを実現する。
【００３８】
なお，操作ボタンＢ，ダイヤルＤの個数や有無などは任意であり，本体部２において実現したい機能に応じて必要な操作ボタンＢ，ダイヤルを設ければよい。また操作ボタンＢおよび／またはダイヤルＤは設けなくてもよい。
【００３９】
本体部２はさらに，本体側端子部２１とベース固定部２２と本体側凹部２３と外部端子２４とを有する。
【００４０】
本体側端子部２１は，本体部２のマイク部３と接続する端部側に設けられており，マイク部３と接続をする。
【００４１】
本体側端子部２１は，後述するマイク部３のマイク側端子部３２と接合する端子であって，本体側端子２１０と本体側マイク固定部２１１と差込部２１２とを有する。
【００４２】
本体側端子２１０は，後述するマイク部３のマイク側端子３２０と電気的に接続をする端子である。本体側マイク固定部２１１は，本体部２からマイク部３の側に突出した位置に形成されており，本体部２の短手方向についてマイク部３を固定する部位である。本体側マイク固定部２１１はその背面側に逆Ｔ字状の差込部２１２が形成されている。本体側マイク固定部２１１および差込部２１２が，後述するマイク部３のマイク側凹部３２１に本体側マイク固定部２１１が取り付けられることで，本体側マイク固定部２１１がマイク側凹部３２１に，差込部２１２がマイク側凹部３２１に形成されたガイド部３２２にそれぞれ挿入されることで，マイク部３が本体部２の短手方向に対して固定される。
【００４３】
ベース固定部２２と本体側凹部２３とは，本体部２の背面に形成されており，本体部２をベース部４に固定する。
【００４４】
ベース固定部２２は，略Ｌ字形状をしており，各ベース固定部２２は対向している。後述するベース部４の対応する位置に形成された孔部４２の平板部４３が，略Ｌ字形状のベース固定部２２に位置することで，ベース固定部２２と孔部４２とを固定する。
【００４５】
本体側凹部２３は，本体部２の背面に形成された凹部であって，後述するベース部４の対応する位置に形成された突出部４５が，本体側凹部２３に嵌合することで，本体側凹部２３と突出部４５とを固定する。
【００４６】
外部端子２４は，ＵＳＢ端子などであり，スピーカと有線で接続する場合の接続端子である。また，そのほかにも，たとえばヘルメット装着用インカム１への電源供給，ソフトウェアのアップグレードのための情報の入出力端子として用いることもできる。
【００４７】
マイク部３は，集音部３１とマイク側端子部３２とアーム３３とを有している。マイク部３の斜視図を図８に示す。図８（ａ）は集音部３１の方向からの斜視図であり，図８（ｂ）はマイク側端子部３２の方向からの斜視図である。また図９にマイク部３の正面図を，図１０にマイク部３の背面図を，図１１にマイク部３が本体部２と接続をする側の側面図を，図１２にマイク部３の平面図を，図１３にマイク部３の底面図をそれぞれ示す。また図１４にマイク側端子部３２の斜視図を示す。図１４（ａ）はマイク側端子部３２の上方からの斜視図であり，図１４（ｂ）はマイク側端子部３２の下方からの斜視図である。
【００４８】
アーム３３は従来のヘルメット装着用インカム１などで用いられるアーム３３と同様の部位であり，その一端には集音部３１を設ける。集音部３１はいわゆるマイクであり，インカムの使用者の発話を集音する。アーム３３の他端にはマイク側端子部３２を設け，本体部２の本体側端子部２１と接続する。
【００４９】
マイク側端子部３２は本体側端子部２１に接続する大きさであり，本体側端子部２１の本体側端子２１０と電気的に接続するマイク側端子３２０を備えている。マイク側端子３２０は本体側端子２１０と電気的に接続し，集音部３１で集音した情報をマイク側端子３２０および本体側端子２１０を介して本体部２に送る。
【００５０】
また，マイク側端子部３２には，本体側マイク固定部２１１に対応する位置に，本体側マイク固定部２１１が挿嵌可能な大きさの凹部（マイク側凹部３２１）が形成されている。またマイク側凹部３２１の底面には，差込部２１２に対応する位置に，差込部２１２が挿嵌可能な大きさの長手方向の切欠部であるガイド部３２２が形成されている。上述したように，マイク側凹部３２１に本体側マイク固定部２１１が差し込まれることで，本体側マイク固定部２１１がマイク側凹部３２１に，差込部２１２がマイク側凹部３２１に形成されたガイド部３２２にそれぞれ挿嵌され，マイク部３が本体部２の短手方向に対して固定される。
【００５１】
またマイク側端子部３２のベース部４と接合する側の面においては，平板部３２３が突出して形成され，平板部３２３の背面側には，凸状のマイク側離脱防止部３２４が形成されている。マイク側離脱防止部３２４は，後述するベース部４の溝状のベース側離脱防止部４１に対応する位置に形成され，マイク側離脱防止部３２４がベース部４のベース側離脱防止部４１に嵌まることでマイク部３が本体部２から離脱することを防止できる。
【００５２】
ベース部４は，ヘルメットに装着される部位であり，ベース部４に本体部２を固定することで本体部２がヘルメットに装着される。ベース部４の斜視図を図１５に示す。図１５（ａ）は本体部２と接する側からの斜視図であり，図１５（ｂ）はヘルメットに固定される側からの斜視図である。また図１６にベース部４の正面図を，図１７にベース部４の背面図を，図１８にベース部４の左側面図をそれぞれ示す。
【００５３】
ベース部４は，プレート状であって，ベース側離脱防止部４１と孔部４２と操作部４４と突出部４５とワイヤークリップ４６とを有する。
【００５４】
ベース側離脱防止部４１は，ベース部４の本体部２と接する側の面において，マイク側離脱防止部３２４と対応する位置に，凸状のマイク側離脱防止部３２４が嵌まる大きさで溝が形成されている。ベース側離脱防止部４１は短手方向のすべてに溝が形成されているのではなく，短手方向の上側から中途まで溝部が形成され，短手方向の下側から一部分は溝を形成しない。マイク側離脱防止部３２４の凸部がマイク側離脱防止部３２４の溝に嵌まることで，マイク部３が本体部２の長手方向に対して固定される。また，ベース部４が本体部２を下方向から支持する。
【００５５】
孔部４２は，本体部２の背面に形成されたベース固定部２２に対応する位置に形成された貫通孔であり，その一部に，本体部２の略Ｌ字形状のベース固定部２２が挟まる平板部４３が形成されている。
【００５６】
突出部４５は，本体部２の背面に形成された本体側凹部２３に嵌合する位置および大きさの突出する部位である。本体側凹部２３に突出部４５が嵌合する。突出部４５は，後述する操作部４４の側がベース部４の平面に対して略垂直状に起立して形成される，いわゆるツメ状のものである。これによって，本体部２とベース部４とを固定する。
【００５７】
操作部４４は本体部２をベース部４から取り外す際に使用者が操作する部位であり，操作部４４を押しながら，ベース部４の背面側（ヘルメット側）にずらすことで，突出部４５が本体側凹部２３から外れる。そして本体部２を上方に移動させることで，本体部２をベース部４から取り外すことが可能となる。
【００５８】
ワイヤークリップ４６は，ベース部４をヘルメットに装着するためのクリップであり，たとえば金属性のクリップである。ワイヤークリップ４６をベース部４の背面側に持ち上げ，ワイヤークリップ４６をヘルメットの内側に挟み込む。このときにベース部４の背面側がヘルメット側に位置するようにベース部４を取り付ける。これによって，ベース部４をヘルメットに装着することができる。なお，ベース部４を取り付ける部位としてワイヤークリップ４６を用いたが，テープなどでベース部４をヘルメットに装着してもよい。
【００５９】
つぎに本発明のヘルメット装着用インカム１の各部位，すなわち，本体部２，マイク部３，ベース部４を一つに固定する場合のプロセスを説明する。
【００６０】
まず，図１９に示すように，ベース部４のワイヤークリップ４６をベース部４の背面側に持ち上げ，ヘルメットの内側に挟み込むことでベース部４をヘルメットに装着する。
【００６１】
つぎに図２０に示すように，本体部２の本体側端子部２１とマイク部３のマイク側端子部３２との位置を合わせ，本体部２にマイク部３を取り付ける。
【００６２】
すなわち，マイク部３のマイク側凹部３２１を，本体側端子部２１における本体側マイク固定部２１１の位置に合うように，またマイク側凹部３２１に形成されたガイド部３２２に，本体側マイク固定部２１１に形成された差込部２１２が挿入されるように取り付ける。これによって，本体側端子２１０とマイク側端子３２０とは電気的に接続される。本体側端子部２１にマイク側端子部３２が取り付けられた状態を図２１に示す。
【００６３】
以上のようにすることで，本体部２とマイク部３とが一体化するので，これをベース部４に取り付ける。これを模式的に示すのが図２２である。すなわち，本体部２の背面のベース固定部２２を，ベース部４の孔部４２の位置に合わせて押し込み，一体化した本体部２およびマイク部３を下方に押し下げる。この際に，マイク側端子部３２に形成された平板部３２３におけるマイク側離脱防止部３２４の凸部を，ベース部４のベース側離脱防止部４１の溝に合わせて下方向にスライドさせる。このように一体化したマイク部３と本体部２をベース部４に取り付けることで，マイク部３は，本体部２とベース部４とにより本体部２の長手方向，短手方向のそれぞれに固定され，マイク部３が本体部２から離脱することが抑止される。
【００６４】
以上のような取り付け操作をすることで，ベース部４に本体部２およびマイク部３を取り付けることができ，ヘルメットにヘルメット装着用インカム１を装着することができる。
【００６５】
本体部２，マイク部３，ベース部４が一体として取り付けられたヘルメット装着用インカム１の斜視図を図２３に，正面図を図２４に，背面図を図２５に示す。
【００６６】
本体部２およびマイク部３をベース部４から取り外す際には，以上の取り付け操作の反対を行えばよい。これを模式的に示すのが図２６である。すなわち，ベース部４の操作部４４をヘルメット側（ベース部４の背面側）に押しながら，本体部２およびマイク部３を上方へ平行に引き抜く。これによって，マイク部３のマイク側離脱防止部３２４の凸部が，ベース部４のベース側離脱防止部４１の溝に沿って上方に移動する。また，本体部２の背面のベース固定部２２が，ベース部４の平板部４３３２３に沿って移動し，孔部４２からベース固定部２２が離脱する。本体部２およびマイク部３をベース部４から取り外すことができる。
【００６７】
また本体部２からマイク部３を取り外す際には，マイク側端子部３２を本体部２の長手方向に移動させることで，本体部２の本体側マイク固定部２１１および差込部２１２が，マイク部３のマイク側凹部３２１およびガイド部３２２に沿って移動し，本体部２からマイク部３を取り外すことができる。
【００６８】
なお，マイク部３としてワイヤー型マイクを用いる場合には，集音部３１の種類を変え，アーム３３の代わりにワイヤーを用いることで同様の構成を実現することができる。マイク部３としてワイヤー型マイクを用いた場合のヘルメット装着用インカム１の正面図を図２７に，背面図を図２８に示す。
【００６９】
上述の説明では，マイク部３を本体部２の長手方向に差し込むことで，本体部２の短手方向を固定し，ベース部４に本体部２およびマイク部３を本体部２の短手方向にスライドさせることで，本体部２の長手方向を固定する場合を説明したが，固定する各部位の向きを９０°回転させることで，固定方向を逆にしてもよい。
【００７０】
たとえば，マイク部３を本体部２の短手方向に差し込むことで，本体部２の長手方向を固定し，ベース部４に本体部２およびマイク部３を本体部２の長手方向にスライドさせることで，本体部２の短手方向を固定するようにしてもよい。
【００７１】
この場合，マイク部３のマイク側凹部３２１およびガイド部３２２は，本体部２の長手方向に形成されるのではなく短手方向に形成される。また，本体部２の本体側端子部２１における本体側マイク固定部２１１およびその背面に形成される差込部２１２も同様に短手方向に形成される。そして，マイク部３のマイク側端子部３２を，本体部２の本体側端子部２１に，本体部２の短手方向にスライドさせて取り付けることで，本体側マイク固定部２１１がマイク側凹部３２１に，差込部２１２がマイク側凹部３２１に形成されたガイド部３２２にそれぞれ挿入される。そして，マイク部３が本体部２の長手方向に対して固定される。
【００７２】
また，マイク部３のマイク側端子部３２におけるマイク側離脱防止部３２４の凸部を，本体部２の長手方向に形成し，またベース部４のベース側離脱防止部４１の溝を長手方向に形成する。同様に，本体部２のベース固定部２２は好ましくは上下に対向する位置に形成し，ベース部４の孔部４２および平板部４３もベース固定部２２に対応する位置に形成する。そして，本体部２およびマイク部３を一体に取り付けた後，ベース部４に，本体部２の長手方向にスライドさせて取り付けることで，マイク側離脱防止部３２４がベース側離脱防止部４１に，ベース固定部２２が孔部４２に挿入されて平板部４３にそれぞれ固定される。そして，本体部２およびマイク部３がベース部４に，本体部２の短手方向に対して固定される。
【００７３】
なお，凸部と溝はそれぞれ逆に形成されてもよい。すなわち，マイク側離脱防止部３２４を溝とし，ベース側離脱防止部４１を凸部としてもよい。
【産業上の利用可能性】
【００７４】
本発明のヘルメット装着用インカム１を用いることで，インカム本体からマイクが外れることを抑止することができる。
【符号の説明】
【００７５】
１：ヘルメット装着用インカム
２：本体部
３：マイク部
３’：マイク部
４：ベース部
２１：本体側端子部
２２：ベース固定部
２３：本体側凹部
２４：外部端子
２１０：本体側端子
２１１：本体側マイク固定部
２１２：差込部
３１：集音部
３２：マイク側端子部
３３：アーム
３２０：マイク側端子
３２１：マイク側凹部
３２２：ガイド部
３２３：平板部
３２４：マイク側離脱防止部
４１：ベース側離脱防止部
４２：孔部
４３：平板部
４４：操作部
４５：突出部
４６：ワイヤークリップ
Ｂ：操作ボタン
Ｄ：ダイヤル
【要約】
【課題】
本発明は，ヘルメットに装着可能なヘルメット装着用インカムを提供することを目的とする。
【解決手段】
ヘルメットに装着するヘルメット装着用インカムであって，ヘルメット装着用インカムは，本体部，マイク部およびベース部を有しており，本体部は，マイク部を，本体部の短手方向または長手方向に固定し，ベース部は，マイク部を，本体部がマイク部を固定する方向とは異なる方向に固定する，ヘルメット装着用インカムである。
【選択図】  図１【図１】
0006817661.tif 000002
【図２】
0006817661.tif 000003
【図３】
0006817661.tif 000004
【図４】
0006817661.tif 000005
【図５】
0006817661.tif 000006
【図６】
0006817661.tif 000007
【図７】
0006817661.tif 000008
【図８】
0006817661.tif 000009
【図９】
0006817661.tif 000010
【図１０】
0006817661.tif 000011
【図１１】
0006817661.tif 000012
【図１２】
0006817661.tif 000013
【図１３】
0006817661.tif 000014
【図１４】
0006817661.tif 000015
【図１５】
0006817661.tif 000016
【図１６】
0006817661.tif 000017
【図１７】
0006817661.tif 000018
【図１８】
0006817661.tif 000019
【図１９】
0006817661.tif 000020
【図２０】
0006817661.tif 000021
【図２１】
0006817661.tif 000022
【図２２】
0006817661.tif 000023
【図２３】
0006817661.tif 000024
【図２４】
0006817661.tif 000025
【図２５】
0006817661.tif 000026
【図２６】
0006817661.tif 000027
【図２７】
0006817661.tif 000028
【図２８】
0006817661.tif 000029